(57)【要約】      （修正有）【課題】簡易な構成によって適切な発光、吸音および発音を実現できる発光装置を提供する。【解決手段】発光装置１において、第１面２０ａおよび第１面２０ａと反対側の第２面２０ｂを有し、第１面２０ａから第２面２０ｂまで貫通する複数の貫通孔２００が設けられた前面板２０と、空洞部６を挟んで第２面２０ｂに対向する背面板３と、第１面２０ａと背面板３との間に向けて光を射出する光源４０と、前面板２０よりも背面板３側に位置する音源５と、を備える。【選択図】図１
2020126813.tif 000002
【特許請求の範囲】
【請求項１】
第１面および前記第１面と反対側の第２面を有し、前記第１面から前記第２面まで貫通する複数の貫通孔が設けられた前面板と、
空洞部を挟んで前記第２面に対向する背面板と、
前記第１面と前記背面板との間に向けて光を射出する光源と、
前記前面板よりも前記背面板側に位置する音源と、を備える、発光装置。
【請求項２】
前記音源は、前記背面板に密着している、請求項１に記載の発光装置。
【請求項３】
前記音源は、前記背面板を振動させて発音する振動子を有する、請求項２に記載の発光装置。
【請求項４】
前記背面板は、前記光源から到達した光を前記前面板側に反射させる、請求項１〜３のいずれか１項に記載の発光装置。
【請求項５】
前記音源は、前記空洞部内に位置している、請求項１に記載の発光装置。
【請求項６】
前記背面板は、前記第２面側の第３面および前記第３面と反対側の第４面を有し、前記第３面から前記第４面まで貫通する複数の第２貫通孔が設けられている、請求項５に記載の発光装置。
【請求項７】
前記第２面と前記第３面との間に位置する中間板を更に備える、請求項６に記載の発光装置。
【請求項８】
前記貫通孔と前記第２貫通孔とは、前記第１面に沿った面方向の位置がずれている、請求項６に記載の発光装置。
【請求項９】
前記貫通孔の貫通方向は、前記第１面の面法線方向に対して傾斜している、請求項１〜８のいずれか１項に記載の発光装置。
【請求項１０】
前記複数の貫通孔のうちの一部の貫通孔は、前記複数の貫通孔のうちの他の貫通孔とは異なる開口面積を有する、請求項１〜９のいずれか１項に記載の発光装置。
【請求項１１】
前記前面板は、前記第１面を有する化粧シートを備える、請求項１〜１０のいずれか１項に記載の発光装置。
【請求項１２】
前記前面板は光透過性を有し、前記光源は、前記前面板の一端に向けて光を射出する、請求項１〜１１のいずれか１項に記載の発光装置。
【発明の詳細な説明】
【技術分野】
【０００１】
本開示は、発光装置に関する。
【背景技術】
【０００２】
従来から、空間に光を射出する発光装置に関する種々の技術が提案されている。例えば、特許文献１では、吸音フィルムと照明素子とを備えた吸音照明装置が提案されている。
【先行技術文献】
【特許文献】
【０００３】
【特許文献１】特表２０１５−５０７８１６号公報
【発明の概要】
【発明が解決しようとする課題】
【０００４】
しかしながら、特許文献１においては、簡易な構成によって適切な発光、吸音および発音を実現することについて有効な提案がなされていないのが実情であった。
【０００５】
本開示は、以上の点を考慮してなされたものであり、簡易な構成によって適切な発光、吸音および発音を実現することができる発光装置を提供することを目的とする。
【課題を解決するための手段】
【０００６】
本開示による発光装置は、
第１面および前記第１面と反対側の第２面を有し、前記第１面から前記第２面まで貫通する複数の貫通孔が設けられた前面板と、
空洞部を挟んで前記第２面に対向する背面板と、
前記第１面と前記背面板との間に向けて光を射出する光源と、
前記前面板よりも前記背面板側に位置する音源と、を備える。
【０００７】
本開示による発光装置において、
前記音源は、前記背面板に密着していてもよい。
【０００８】
本開示による発光装置において、
前記音源は、前記背面板を振動させて発音する振動子を有していてもよい。
【０００９】
本開示による発光装置において、
前記背面板は、前記光源から到達した光を前記前面板側に反射させてもよい。
【００１０】
本開示による発光装置において、
前記音源は、前記空洞部内に位置していてもよい。
【００１１】
本開示による発光装置において、
前記背面板は、前記第２面側の第３面および前記第３面と反対側の第４面を有し、前記第３面から前記第４面まで貫通する複数の第２貫通孔が設けられていてもよい。
【００１２】
本開示による発光装置において、
前記第２面と前記第３面との間に位置する中間板を更に備えていてもよい。
【００１３】
本開示による発光装置において、
前記貫通孔と前記第２貫通孔とは、前記第１面に沿った面方向の位置がずれていてもよい。
【００１４】
本開示による発光装置において、
前記貫通孔の貫通方向は、前記第１面の面法線方向に対して傾斜していてもよい。
【００１５】
本開示による発光装置において、
前記複数の貫通孔のうちの一部の貫通孔は、前記複数の貫通孔のうちの他の貫通孔とは異なる開口面積を有していてもよい。
【００１６】
本開示による発光装置において、
前記前面板は、前記第１面を有する化粧シートを備えていてもよい。
【００１７】
本開示による発光装置において、
前記前面板は光透過性を有し、前記光源は、前記前面板の一端に向けて光を射出してもよい。
【発明の効果】
【００１８】
本開示によれば、簡易な構成によって適切な発光、吸音および発音を実現することができる。
【図面の簡単な説明】
【００１９】
【図１】一実施の形態に係る発光装置を示す縦断面図である。
【図２】図１の発光装置の正面図である。
【図３】図１の発光装置の横断面図である。
【図４】第１の変形例に係る発光装置を示す縦断面図である。
【図５】第２の変形例に係る発光装置を示す縦断面図である。
【図６】第３の変形例に係る発光装置を示す縦断面図である。
【図７】第４の変形例に係る発光装置を示す縦断面図である。
【図８】第５の変形例に係る発光装置を示す正面図である。
【図９】第６の変形例に係る発光装置を示す縦断面図である。
【図１０】第７の変形例に係る発光装置を示す部分拡大正面図である。
【図１１】第８の変形例に係る発光装置を示す正面図である。
【発明を実施するための形態】
【００２０】
以下、図面を参照して本開示の一実施の形態について説明する。なお、本件明細書に添付する図面においては、図示と理解のしやすさの便宜上、適宜縮尺および縦横の寸法比等を、実物のそれらから変更し誇張してある。また、本実施形態で参照する図面において、同一部分または同様な機能を有する部分には同一の符号または類似の符号を付し、その繰り返しの説明は省略する場合がある。
【００２１】
また、本明細書において用いる、形状や幾何学的条件並びにそれらの程度を特定する、例えば、「平行」、「直交」、「同一」等の用語については、厳密な意味に縛られることなく、同様の機能を期待し得る程度の範囲を含めて解釈することとする。
【００２２】
また、本明細書において、「シート」、「フィルム」、「板」の用語は、呼称の違いのみに基づいて、互いから区別されるものではない。例えば、「板」はシートやフィルムと呼ばれ得るような部材も含む概念である。
【００２３】
図１は、一実施の形態に係る発光装置１を示す縦断面図である。図２は、図１の発光装置１の正面図である。図３は、図１の発光装置１の横断面図である。本実施の形態に係る発光装置１は、第１空間Ｓ１と第２空間Ｓ２とを仕切るように床面ｆ上に載置された状態で、第１空間Ｓ１に対して発光、吸音および発音を行うために用いることができる。発光装置１は、第１の空間Ｓ１と第２の空間Ｓ２とを仕切る仕切り壁としても機能する。以下、図１および図２に示される床面ｆに直交する方向ｄ１を上下方向ｄ１と定義し、図２に示される発光装置１の横幅に沿った方向ｄ２を左右方向ｄ２と定義し、図１に示される発光装置１の厚みに沿った方向ｄ３を前後方向ｄ３と定義する。
【００２４】
図１〜図３に示すように、発光装置１は、フレーム１０と、前面板２０と、背面板３と、光源４０と、音源５と、を備える。
【００２５】
フレーム１０は、前面板２０、背面板３、光源４０および音源５を保持する部材である。フレーム１０は、前壁部１１と、後壁部１２と、上壁部１３と、底壁部１４と、左側壁部１５と、右側壁部１６と、台座１７とを有する。発光装置１は、台座１７を介して床面ｆに載置されている。台座１７には、キャスターが装着されていてもよい。
【００２６】
前面板２０は、第１面２０ａおよび第１面２０ａと反対側の第２面２０ｂを有し、第１面２０ａから第２面２０ｂまで貫通する複数の貫通孔２００が設けられた、板状の部材である。
【００２７】
前面板２０は、フレーム１０の前壁部１１に保持されている。図１に示される例において、前面板２０は、開孔板２１と、化粧シート２２とを有する。開孔板２１は、複数の貫通孔２００が設けられた板状の部材である。図１に示される例において、開孔板２１は、可視光透過性を有しない材料で構成されている。化粧シート２２は、第１空間Ｓ１に露出して配置され、発光装置１の化粧面すなわち外表面を形成する部材である。化粧シート２２は、開孔板２１の前方ｄ３１に配置されている。この例において、前面板２０の第１面２０ａは、化粧シート２２の外表面である。また、前面板２０の第２面２０ｂは、開孔板２１の内側の主面である。貫通孔２００は、開孔板２１および化粧シート２２の双方の前後で対応する位置に設けられている。
【００２８】
フレーム１０の前壁部１１は、化粧シート２２に対して開孔板２１のうち少なくとも貫通孔２００を露出させるように、少なくとも開孔板２１の貫通孔２００に対向する部分が開口されている。より詳しくは、前壁部１１は、開孔板２１の全領域に対向する部分が開口されていてもよい。この場合、化粧シート２２を開孔板２１の外表面に接着して保持してもよい。あるいは、前壁部１１は、開孔板２１と化粧シート２２との間に位置し、開孔板２１の貫通孔２００および化粧シート２２の貫通孔２００に対応する位置に貫通孔が設けられていてもよい。この場合、前壁部１１は、開孔板２１および化粧シート２２とともに前面板２０を構成してもよい。なお、必要に応じて化粧シート２２を省略してもよい。
【００２９】
貫通孔２００は、発光装置１による発光に用いられ、光源４０から射出された光Ｌを第１空間Ｓ１側に通過させる。
【００３０】
また、貫通孔２００は、発光装置１による発音に用いられ、音源５から発生した音Ｓａを第１空間Ｓ１側に通過させる。
【００３１】
また、貫通孔２００は、発光装置１による吸音に用いられ、第１空間Ｓ１から侵入した発光装置１の外部の音Ｓｂを吸収して反射させない。それにより第１空間Ｓ１の残響時間を短くして静かな音環境にできる。
【００３２】
すなわち、貫通孔２００は、発光、発音および吸音の３つの機能を併有する。
【００３３】
図２に示される例において、複数の貫通孔２００は、第１面２０ａ上に略矩形状の発光領域Ｚを形成するように、上下方向ｄ１および左右方向ｄ２に一定の間隔を空けて設けられている。また、各貫通孔２００は、同径の円形状を有する。貫通孔２００の位置、個数、形状および大きさは、図２の態様に限定されず、所望される照明環境および音響環境に応じて種々変更してよい。
【００３４】
背面板３は、空洞部６を挟んで第２面２０ｂに対向して配置された、板状の部材である。
【００３５】
背面板３は、光源４０から到達した光Ｌを前面板２０側に反射させる。これにより、貫通孔２００からの出射光量を増大させることができ、光源４０から射出された光Ｌの利用効率を向上させることができる。背面板３には、光反射機能を発揮し得る種々の構成を採用することができる。背面板３の反射特性は、正反射であってもよいし、拡散反射であってもよい。背面板３が有する拡散反射特性は、等方性であってもよいし、異方性であってもよい。背面板３は、例えば、接着剤によって少なくとも部分的に後壁部１２に接着されて保持されていてもよい。
【００３６】
前面板２０と背面板３との間の空洞部６は、貫通孔２００を介した発光装置１による発光に用いられ、光源４０から射出された光Ｌを貫通孔２００まで導光する。
【００３７】
また、空洞部６は、貫通孔２００を介した発光装置１による発音に用いられ、音源５から発生したＳａを貫通孔２００まで伝搬させる。
【００３８】
また、空洞部６は、貫通孔２００を介した発光装置１による吸音に用いられ、第１空間Ｓ１から侵入した音Ｓｂによって貫通孔２００との間で共鳴を起こすことで貫通孔２００に空気摩擦を生じさせ、空気摩擦によって音Ｓｂを熱に変換して消費させる。
【００３９】
すなわち、空洞部６は、貫通孔２００とともに発光、発音および吸音の３つの機能を併有する。
【００４０】
光源４０は、第１面２０ａと背面板３との間に向けて光Ｌを射出する、発光装置１の構成部である。
【００４１】
光源４０は、光Ｌを発光する複数の発光体４１と、発光体４１を支持する基板４２とを有する。発光体４１は、例えば、発光ダイオードによって構成される。図１〜図３に示される例において、複数の発光体４１は、基板４２の下面に保持されている。図２および図３に示すように、複数の発光体４１は、基板４２の長手方向である左右方向ｄ２に間隔を空けて配置されている。一例として、各発光体４１は、互いに異なる波長域の光を発光可能な複数種類の発光体４１である。この場合、各発光体４１の出力を調整することで、加法混色により、種々の色の照明光で照明を行うことが可能となる。典型的には、赤色の光を射出可能な発光体４１と、緑色の光を射出可能な発光体４１と、青色の光を射出可能な発光体４１とを含むことで、光Ｌの色を色度図上の全範囲の色から選択可能とすることが可能となる。光源４０は、更に、白色の光を射出可能な発光体４１を含んでもよい。
【００４２】
音源５は、前面板２０よりも背面板３側に位置する、発光装置１の構成部である。図１に示される例において、音源５は、背面板３に密着して配置されている。例えば、音源５は、音響装置の一部を構成するスピーカであり、有線または無線によってマイクや音声再生装置等の音響装置の他の部分と接続されている。
【００４３】
以上のように構成された本実施形態の発光装置１は、光源４０から射出された光Ｌを、空洞部６を通して貫通孔２００まで導光し、貫通孔２００を通して第１空間Ｓ１に光Ｌを射出することで、発光を行う。また、発光装置１は、音源５から発生した音Ｓａを、空洞部６を通して貫通孔２００まで伝搬し、貫通孔２００を通して第１空間Ｓ１に音Ｓａを放出することで、発音を行う。また、発光装置１は、第１空間Ｓ１から貫通孔２００内への音Ｓｂの侵入に応じて貫通孔２００と空洞部６との間で共鳴を生じさせ、共鳴によって貫通孔２００に生じた空気摩擦によって音Ｓｂを熱に変換して消費させることで、吸音を行う。このように、本実施形態の発光装置１は、発光、吸音および発音の３つの機能を併有する貫通孔２００および空洞部６が設けられていることで、簡易な構成によって適切な発光、吸音および発音を実現することができる。
【００４４】
なお、上述した実施の形態に対して様々な変更を加えることが可能である。以下、必要に応じて図面を参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００４５】
（第１の変形例）
次に、図４を参照して、前面板２０が光透過性を有する例について説明する。図４は、第１の変形例に係る発光装置１を示す縦断面図である。図１では、開孔板２１が可視光透過性を有しない例について説明した。これに対して、図４に示される開孔板２１は、可視光透過性を有する。開孔板２１は、ガラスや透明樹脂等の可視光透過性を有する材料で構成されている。
【００４６】
また、図４に示される例において、光源４０は、開孔板２１の上端２１ａに対向して配置され、開孔板２１の上端２１ａに向けて光Ｌを射出する。光源４０から射出された光Ｌは、上端２１ａから開孔板２１に入射し、開孔板２１の外側の主面２１ｂと内側の主面すなわち第２面２０ｂとの間で全反射を繰り返しながら、下方ｄ１１に向かって開孔板２１の内部を進行する。開孔板２１の内部を進行する光Ｌのうち、貫通孔２００に到達した光Ｌは、貫通孔２００の内周壁において開孔板２１から出射されたうえで、貫通孔２００を通って第１空間Ｓ１に射出される。なお、貫通孔２００の内周壁において開孔板２１から出射された光Ｌの一部は、開孔板２１に再入射して更に下方ｄ１１に進行したうえで、下方ｄ１１に位置する他の貫通孔２００を通って第１空間Ｓ１に射出されてもよい。貫通孔２００の内周壁は、光Ｌを第１空間Ｓ１に高効率で射出するための凹凸形状がもうけられていてもよい。
【００４７】
また、図４に示される例において、音源５は、空洞部６内に配置されている。
【００４８】
以上の構成によれば、開孔板２１が光Ｌを貫通孔２００まで導く導光板を兼ねることで、貫通孔２００まで光Ｌを効率的に導くことができる。これにより、部品点数を抑えつつ光の利用効率を向上させることができる。また、空洞部６の内部に音源５を配置することで、前後方向ｄ３の発光装置１の厚みを低減することができる。
【００４９】
（第２の変形例）
次に、図５を参照して、音源５が振動子である例について説明する。図５は、第２の変形例に係る発光装置１を示す縦断面図である。図１では、音源５がスピーカである例について説明した。これに対して、図５に示される例において、音源５は、背面板３を振動させて発音する振動子である。
【００５０】
このような構成によれば、背面板３が音源５とともにスピーカを構成することで、背面板３に、光反射機能とともに音を広い面積で均一に発音する機能をもたせることができる。これにより、部品点数を抑えつつ発光装置１による発音を効率的に行うことができる。
【００５１】
（第３の変形例）
次に、図６を参照して、背面板３に貫通孔が設けられた例について説明する。図６は、第３の変形例に係る発光装置１を示す縦断面図である。図１では、前面板２０にのみ貫通孔２００が設けられた例について説明した。これに対して、図６に示される例においては、前面板２０に貫通孔２００が設けられていることに加えて、更に、背面板３に第２貫通孔３００が設けられている。すなわち、背面板３は、第２面２０ｂ側の第３面３ａおよび第３面３ａと反対側の第４面３ｂを有し、第３面３ａから第４面３ｂまで貫通する複数の第２貫通孔３００が設けられている。
【００５２】
背面板３は、図６において図示を省略するフレーム１０の後壁部１２に保持されている。後壁部１２の構成は、図２および図３と同様である。図６に示される例において、背面板３は、第２開孔板３１と、第２化粧シート３２とを有する。第２開孔板３１は、複数の第２貫通孔３００が設けられた板状の部材である。図６に示される例において、第２開孔板３１は、可視光透過性を有しない材料で構成されている。第２化粧シート３２は、第２空間Ｓ２に露出して配置され、発光装置１の第２空間Ｓ２側の化粧面を形成する部材である。第２化粧シート３２は、第２開孔板３１の後方ｄ３２に配置されている。この例において、背面板３の第３面３ａは、第２開孔板３１の内側の主面である。また、背面板３の第４面３ｂは、第２化粧シート３２の外表面である。第２貫通孔３００は、第２開孔板３１および第２化粧シート３２の双方の前後で対応する位置に設けられている。
【００５３】
フレーム１０の後壁部１２は、第２化粧シート３２に対して第２開孔板３１のうち少なくとも第２貫通孔３００を露出させるように、少なくとも第２開孔板３１の第２貫通孔３００に対向する部分が開口されている。より詳しくは、後壁部１２は、第２開孔板３１の全領域に対向する部分が開口されていてもよい。この場合、第２化粧シート３２を第２開孔板３１の外表面に接着して保持してもよい。あるいは、後壁部１２は、第２開孔板３１と第２化粧シート３２との間に位置し、第２開孔板３１の第２貫通孔３００および第２化粧シート３２の第２貫通孔３００に対応する位置に貫通孔が設けられていてもよい。この場合、後壁部１２は、第２開孔板３１および第２化粧シート３２とともに後壁部１２を構成してもよい。なお、必要に応じて第２化粧シート３２を省略してもよい。また、化粧シート２２がフレーム１０の全面を覆う場合、第２化粧シート３２は、化粧シート２２と同一の構成となる。
【００５４】
第２貫通孔３００は、発光装置１による第２空間Ｓ２側への発光に用いられ、光源４０から射出された光Ｌを第２空間Ｓ２側に通過させる。
【００５５】
また、第２貫通孔３００は、発光装置１による第２空間Ｓ２側への発音に用いられ、音源５から発生した音Ｓａを第２空間Ｓ２側に通過させる。
【００５６】
また、第２貫通孔３００は、発光装置１による吸音に用いられ、第２空間Ｓ２から侵入した発光装置１の外部の音Ｓｂを吸収する。
【００５７】
すなわち、第２貫通孔３００は、第２空間Ｓ２に対する発光、発音および吸音の３つの機能を併有する。
【００５８】
また、図６に示される発光装置１は、第２面２０ｂと第３面３ａとの間に位置する中間板７を更に備える。中間板７は、空洞部６を、前面板２０側の第１空洞部６１と、背面板３側の第２空洞部６２とに仕切っている。
【００５９】
中間板７は、光源４０から前面板２０側の主面７１に到達した光Ｌを、前面板２０側に反射させる。また、中間板７は、光源４０から背面板３側の主面７２に到達した光Ｌを、背面板３側に反射させる。このような両面反射機能を有することで、中間板７は、貫通孔２００および第２貫通孔３００からの出射光量を増大させることができ、光源４０から射出された光Ｌの利用効率を向上させることができる。中間板７には、光反射機能を発揮し得る種々の構成を採用することができる。中間板７の反射特性は、正反射であってもよいし、拡散反射であってもよい。中間板７が有する拡散反射特性は、等方性であってもよいし、異方性であってもよい。
【００６０】
前面板２０と中間板７との間の第１空洞部６１は、貫通孔２００を介した発光装置１による発光に用いられ、光源４０から射出された光Ｌを貫通孔２００まで導光する。
【００６１】
また、第１空洞部６１は、貫通孔２００を介した発光装置１による発音に用いられ、音源５から発生したＳａを貫通孔２００まで伝搬させる。
【００６２】
また、第１空洞部６１は、発光装置１による吸音に用いられ、第１空間Ｓ１から侵入した音Ｓｂによって貫通孔２００との間で共鳴を起こすことで貫通孔２００に空気摩擦を生じさせ、空気摩擦によって音Ｓｂを熱に変換して消費させる。
【００６３】
すなわち、第１空洞部６１は、貫通孔２００とともに第１空間Ｓ１に対する発光、発音および吸音の３つの機能を併有する。
【００６４】
一方、背面板３と中間板７との間の第２空洞部６２は、第２貫通孔３００を介した発光装置１による発光に用いられ、光源４０から射出された光Ｌを第２貫通孔３００まで導光する。
【００６５】
また、第２空洞部６２は、第２貫通孔３００を介した発光装置１による発音に用いられ、音源５から発生したＳａを第２貫通孔３００まで伝搬させる。
【００６６】
また、第２空洞部６２は、発光装置１による吸音に用いられ、第２空間Ｓ２から侵入した音Ｓｂによって第２貫通孔３００との間で共鳴を起こすことで第２貫通孔３００に空気摩擦を生じさせ、空気摩擦によって音Ｓｂを熱に変換して消費させる。
【００６７】
すなわち、第２空洞部６２は、第２貫通孔３００とともに第２空間Ｓ２に対する発光、発音および吸音の３つの機能を併有する。
【００６８】
以上の構成によれば、発光装置１で仕切られる第１空間Ｓ１および第２空間Ｓ２の双方に対して、簡易な構成によって適切な発光、吸音および発音を実現することができる。同時に、光源４０の発光体の選択により、必要な側の空間に対してのみ発光できるので、電力の節約ができる。
【００６９】
（第４の変形例）
次に、図７を参照して、貫通孔２００と第２貫通孔３００との位置がずれている例について説明する。図７は、第４の変形例に係る発光装置１を示す縦断面図である。図６では、貫通孔２００と第２貫通孔３００との第１面２０ａに沿った面方向の位置が一致している例について説明した。これに対して、図７に示される例において、貫通孔２００と第２貫通孔３００とは、面方向の位置がずれている。また、図７に示される例において、中間板７は削除されている。
【００７０】
このような構成によれば、貫通孔２００と第２貫通孔３００とを面方向にずらして設けることで、空洞部６の密閉性を改善することができる。これにより、貫通孔２００と第２貫通孔３００との面方向の位置が一致している場合と比較して空洞部６の共鳴を生じ易くすることができるので、より効率的な吸音を実現することができる。
【００７１】
（第５の変形例）
図８は、第５の変形例に係る発光装置１を示す正面図である。図２では、略矩形状の発光領域Ｚを形成するように複数の貫通孔２００を配置した例について説明した。これに対して、図８に示すように、矩形状以外の発光領域Ｚを形成するように貫通孔２００を配置してもよい。
【００７２】
（第６の変形例）
次に、図９を参照して、貫通孔２００が傾斜して設けられた例について説明する。図９は、第６の変形例に係る発光装置１を示す縦断面図である。図１では、貫通孔２００の貫通方向が第１面２０ａの面法線方向に対して平行である例について説明した。これに対して、図９に示される例において、貫通孔２００の貫通方向は、第１面２０ａの面法線方向に対して傾斜している。
【００７３】
このような構成によれば、図９に示すように、第１面２０ａに直交する目線の方向から貫通孔２００を目立ち難くすることができるので、発光装置１の意匠性を向上させることができる。
【００７４】
（第７の変形例）
図１０は、第７の変形例に係る発光装置１を示す部分拡大正面図である。図２では、すべての貫通孔２００の形状が平面視において円形状である例について説明した。これに対して、図１０に示すように、複数の貫通孔２００は、円形状以外の形状を有する貫通孔２００を含んでいてもよい。
【００７５】
（第８の変形例）
次に、図１１を参照して、複数の貫通孔２００の開口面積が異なる例について説明する。図１１は、第８の変形例に係る発光装置１を示す正面図である。図２では、複数の貫通孔２００の開口面積が互いに同一である例について説明した。これに対して、図１１に示される例において、複数の貫通孔２００のうちの一部の貫通孔２００は、複数の貫通孔２００のうちの他の貫通孔２００とは異なる開口面積を有する。
【００７６】
より詳しくは、図１１に示される例において、複数の貫通孔２００のうち、下側の発光領域Ｚ１を形成する貫通孔２００は、開口面積が相対的に最小である。また、上側の発光領域Ｚ３を形成する貫通孔２００は、開口面積が相対的に最大である。また、中央側の発光領域Ｚ２を形成する貫通孔２００の開口面積は、下側の発光領域Ｚ１を形成する貫通孔２００の開口面積よりも大きく、上側の発光領域Ｚ３を形成する貫通孔２００の開口面積よりも小さい。下側の発光領域Ｚ１を形成する貫通孔２００は、周波数が相対的に低い音Ｓｂを効果的に吸収することができる。上側の発光領域Ｚ３を形成する貫通孔２００は、周波数が相対的に高い音Ｓｂを効果的に吸収することができる。中央側の発光領域Ｚ２を形成する貫通孔２００は、周波数が相対的に中程度の音Ｓｂを効果的に吸収することができる。
【００７７】
以上の構成によれば、発光装置１の吸音域を拡大することができ、また、発光状態のグラデーションを調整することも可能となる。
【００７８】
なお、以上において一実施の形態に対する具体例および変形例を説明してきたが、当然に、複数の例を適宜組み合わせて適用することも可能である。
【符号の説明】
【００７９】
１  発光装置
２０  前面板
２０ａ  第１面
２０ｂ  第２面
２００  貫通孔
３  背面板
４０  光源
５  音源
６  空洞部
【図１】
2020126813.tif 000003
【図２】
2020126813.tif 000004
【図３】
2020126813.tif 000005
【図４】
2020126813.tif 000006
【図５】
2020126813.tif 000007
【図６】
2020126813.tif 000008
【図７】
2020126813.tif 000009
【図８】
2020126813.tif 000010
【図９】
2020126813.tif 000011
【図１０】
2020126813.tif 000012
【図１１】
2020126813.tif 000013